(57)【要約】本発明は手を用いる器具に関している。この器具は柔軟な材料からなり、少なくとも片手を収容するために設計される隙間を形成する上側及び下側から構成されている。手の指のために少なくとも２つの別々の開口が設けられており、また、少なくとも手のひら及び指の領域に、刺激領域が配されている領域を形成されている。本発明はまた、刺激のための方法、及び、上記器具の使用に関している。
2009515613.tif 000002
【特許請求の範囲】
【請求項１】
手を用いる器具において、該器具が、柔軟な材料からなること、及び、少なくとも片手を収容するために設計される隙間を形成する上部及び下部から構成されること、その際手の指のために少なくとも２つの別々の開口が設けられており、又、少なくとも手のひら及び指の範囲に、刺激領域が配されている領域が形成されていることを特徴とする手を用いる器具。
【請求項２】
請求項１に記載の手を用いる器具において、刺激領域が柔軟で弾力性のある材料から構成されることを特徴とする器具。
【請求項３】
請求項１に記載の手を用いる器具において、刺激領域が柔軟で弾力性のある繊維材料から構成されることを特徴とする器具。
【請求項４】
請求項１に記載の手を用いる器具において、刺激領域が柔軟な天然物質、特にはテリー織、から構成されることを特徴とする器具。
【請求項５】
請求項１に記載の手を用いる器具において、刺激領域が柔軟で弾力性のある合成物質から構成されることを特徴とする器具。
【請求項６】
請求項１から５のいずれか一項に記載の手を用いる器具において、刺激領域から構成される少なくとも１つの作用側が、柔軟で弾力性のある変形可能な材料から突き出る複数の突起部と共に設けられ、その際該突起部（５ａ、５ｂ又は２２ａ、２２ｂ、２２ｃ、２２ｄ）は交差する又は交差しない薄片（６、７又は２３）から構成され、また、その薄片（６、７、２３）の角配置に従い少なくとも２つのグループに分けられ、その場合同一のグループの突起部は、器具の作用側上で、他のグループの突起部と交互に配されていることを特徴とする器具。
【請求項７】
請求項１に記載の手を用いる器具において、突起部（５ａ、５ｂ又は２２ａ、２２ｂ、２２ｃ、２２ｄ）が、その基部と一体的に、ゴム状で柔軟な材料から製造されていることを特徴とする器具。
【請求項８】
請求項１から７のいずれか一項に記載の手を用いる器具において、突起部（５ａ、５ｂ又は２２ａ、２２ｂ、２２ｃ、２２ｄ）を形成する薄片（６、７又は２３）が、基本的に直角にその基部（４、８又は２１）上に配されており、また、円弧状部を有し、その際それらはその弦形状部により柔軟な基部と接続されていることを特徴とする器具。
【請求項９】
請求項１から８のいずれか一項に記載の手を用いる器具において、それぞれの突起部（５ａ、５ｂ又は２２ａ、２２ｂ、２２ｃ、２２ｄ）に属する薄片（６、７又は２３）の縁を取り囲む表面が、基本的に球状キャップ形状を有することを特徴とする器具。
【請求項１０】
請求項１から９のいずれか一項に記載の手を用いる器具において、刺激領域の突起部（５ａ、５ｂ）が２つの交差する薄片（６、７）から構成されており、それらは上から見ると十字形状（Ｘ形状）をしており、その際、１つのグループに属する突起部（５ａ又は５ｂ）の交差する薄片（６、７）の角度方向は、それが突起部（５ａ、５ｂ）の交差する両方の薄片（６、７）の交点を通ってのびる軸の周りで回転されていることによって、他のグループに属する突起部（５ａ又は５ｂ）の交差する薄片（６、７）の角度方向と区別されることを特徴とする器具。
【請求項１１】
請求項１から１０のいずれか一項に記載の手を用いる器具において、両突起部（５ａ、５ｂ）が軸に関して対称であり、上記軸は突起部を構成する２つの交差した薄片（６、７）の交点を通って延びることを特徴とする器具。
【請求項１２】
請求項１から１１のいずれか一項に記載の手を用いる器具において、それぞれの突起部（５ａ、５ｂ）の交差する２つの薄片（６、７）が、基本的に互いに直交して配されており、又、１つのグループの突起部が他のグループの突起部に関して４５°回転されて配されていることを特徴とする器具。
【請求項１３】
請求項１から１２のいずれか一項に記載の手を用いる器具において、突起部の交差する薄片（７）が、その交点にて、その高さの一部にまで、切込みを入れられていることを特徴とする器具。
【請求項１４】
請求項１から１３のいずれか一項に記載の手を用いる器具において、突起部（２２ａ、２２ｂ、２２ｃ、２２ｄ）が、交差せず基本的に平行に配されている薄片（２３）から構成されており、その際同一グループの突起部の薄片（２３）は、他グループの突起部の薄片（２３）に対して斜めに配されていることを特徴とする器具。
【請求項１５】
請求項１から１４のいずれか一項に記載の手を用いる器具において、突起部（２２ａ、２２ｂ、２２ｃ、２２ｄ）が４つのグループに分けられており、その際１つのグループの薄片（２３）は、他のグループの突起部の薄片（２３）の角度方向に対して、４５°又は４５°の整数倍回転して配されていることを特徴とする器具。
【請求項１６】
請求項１から１５のいずれか一項に記載の手を用いる器具において、突起部（５ａ、５ｂ又は２２ａ、２２ｂ、２２ｃ、２２ｄ）の基部（４、２１）が、硬い縁（２又は２０）の内側に配されることを特徴とする器具。
【請求項１７】
請求項１から１６のいずれか一項に記載の手を用いる器具において、それはソフトポケット形状の刺激手袋であり、その際少なくとも１つの側で突起部（５ａ、５ｂ又は２２ａ、２２ｂ、２２ｃ、２２ｄ）が突き出ていることを特徴とする器具。
【請求項１８】
請求項１から１７のいずれか一項に記載の手を用いる器具において、突起部（５ａ、５ｂ又は２２ａ、２２ｂ、２２ｃ、２２ｄ）の基部が、穴を有して設けられており、また、手を用いる器具の上側で容器と接続されており、上記容器は例えば、ソープバー、ローション、クリーム、又はそれに類するもの、又はそれらを混合させたものような水溶性製品を収容することが出来ることを特徴とする器具。
【請求項１９】
請求項１から１８のいずれか一項に記載の手を用いる器具において、突起部（２２ａ、２２ｂ、２２ｃ、２２ｄ）が４つのグループに分けられており、その際１つのグループの突起部の薄片（２３）が、他のグループの突起部の薄片（２３）の角度方向に対して、４５°又は４５°の整数倍回転して配されていることを特徴とする器具。
【請求項２０】
請求項１から１９のいずれか一項に記載の手を用いる器具において、それはソフトポケット形状の刺激手袋であり、その際少なくとも１つの側で突起部（５ａ、５ｂ又は２２ａ、２２ｂ、２２ｃ、２２ｄ）が突き出ていることを特徴とする器具。
【請求項２１】
請求項１から２０のいずれか一項に記載の手を用いる器具において、突起部（５ａ、５ｂ又は２２ａ、２２ｂ、２２ｃ、２２ｄ）の基部が、穴を有して設けられており、また、例えばローション、クリームのような水溶性製品を収容出来る容器と接続されていることを特徴とする器具。
【請求項２２】
特には少なくとも一方の女性のバストを刺激するための、皮膚上での身体領域の刺激において、請求項１から２２のいずれか一項に記載の器具を用いた刺激により、マッサージされるバストの成長が、このバストの美容的なサイズ補正のために、目標を定めて促されることを特徴とする刺激。
【請求項２３】
請求項２２に記載の刺激において、所望の刺激の成果に応じて、特には４週間の全施術期間に渡る時間的なインターバルで行なわれることを特徴とする刺激。
【請求項２４】
請求項２２又は２３に記載の刺激において、所望の刺激の成果に応じて、時間間隔が、５から６０分間、特には１５分から３０分間、また特に好ましくは１５分から２５分間であることを特徴とする刺激。
【請求項２５】
請求項２２から２４のいずれか一項に記載の刺激において、刺激がその都度直線的に胸部組織にて外側から中央へ向かって行なわれることを特徴とする刺激。
【請求項２６】
請求項２２から２５のいずれか一項に記載の刺激において、乳首は刺激から省かれることを特徴とする刺激。
【請求項２７】
請求項２２から２６のいずれか一項に記載の刺激において、刺激が、それぞれの個人の解剖学的前提に応じて、両方のバストのために、２週間から１２週間の時間インターバルで行なわれることを特徴とする刺激。
【請求項２８】
請求項１から２２のいずれか一項に記載の手を用いる器具の使用において、特には女性の胸部組織を刺激するために利用することを特徴とする使用。
【発明の詳細な説明】
【技術分野】
【０００１】
本発明は、皮膚特には女性のバストを介して身体部位を刺激するための、手を使う器具、方法、及び、その利用に関している。
【背景技術】
【０００２】
少なくとも一方、大抵の場合は双方のバストサイズがそれぞれの個人の望みを叶えるものではないことや、確実なサイズアップが望まれていること、という様々な問題点が実際的な経験から知られている。
【０００３】
その様な望みの場合、プッシュアップブラジャー又はそれに類似のもののような適切な衣類により、現在の身体を支持又は強調するという選択肢が存在する。今日非常によく知られている、通常は液体を充填されたインプラントが入れられる外科的手術によるバストサイズの変更のみが、現在のところ恒久的に大きなバストを可能にする。
【０００４】
手術時の麻酔、合併症の危険性、及び、インプラントに関する潜在的な拒絶反応のリスクに起因する、通常の手術の欠点及び危険性以外に、更に加えて、瘢痕化、その種の方法による豊胸における一般的に不自然な概観、及び、イメージ的欠点、並びに、高額な豊胸手術費用が加わる。
【０００５】
最後に、体内に異物を有することは当人にとって、物理的及び／または精神的に不快であり得る。加えて、インプラントの充填剤の漏出、低下する不透過性、又は、例えば事故の際の、又は、気圧変化に基づく、力学的負荷による破裂、のような潜在的なリスクにも結びついている。
【０００６】
通常のマッサージ器具として、馬巣織りブローブやマッサージブラシを挙げることが出来る。後者はその作用側上に複数の先端部及び突起部を有する。それらは、皮膚上をたどって案内される場合に、軽度の圧痕及びそれに伴う局所的な充血を引起す。また、特許文献１にはマッサージブラシが記載されており、上記ブラシは、ゴム又はラテックス製であってもよく、全ての側で閉じられた空洞を形成し、剛毛の束又は突起部を有して与えられる。上記文献によれば、マッサージブラシの構造は弾力がなく、また、個々の指を介した注意深い刺激は不可能である。特許文献２からは、外側全体に渡っていぼ状突起を有するマッサージグローブが公知である。上記マッサージ手袋は単一の鋳物から形成される。この場合、グローブがその形状ゆえかさばっていること、及び、注意深いマッサージ及び刺激を保証出来ないことが欠点である。更に、ラテックス又はゴムを選択することにより、皮膚表面上での炎症が引起されうる。ラテックス／ゴム‐アレルギーの場合、上記グローブを使用することは出来ない。
【０００７】
特許文献３にはマッサージグローブが記載されている。上記マッサージグローブはベルトのセグメントから製造され、また、上記セグメントはその略中央で横へ折られまた互いに接している側縁で縫い合わされる。幅狭側で、それは手のための着用穴を有しまた少なくとも１つの外側表面にブラシを有し、折り返し（Umschlag）は縫い目を解かれており、開口縁は縁取りをつける。皮膚を介する身体領域の慎重な刺激を保証しない、弾力性のない実施は不利である。
【０００８】
引用文献４にはマッサージブラシが記載される。上記マッサージブラシは、作用側の非対称で柔軟で弾力性があり変形可能な材料から製造される突起部と共に与えられる。その際それぞれの単独の突起部は互いに向かいあう凹形状部及び凸形状部を有する。それにより、言及された非対称の突起部は、その凸部に圧が加えられる場合はより大きな曲げ抵抗を有し、また、その凹部に圧が加えられる場合はより小さな曲げ抵抗を有する。加えて突起部は前側から後側へ交互に配設される。つまり、その凹部が一方向を指す突起部は、その凹部が他方向を指す別の突起部の隣に存する。
【０００９】
【特許文献１】ＤＥ８０６７４７ＰＳ
【特許文献２】ドイツ実用新案ＤＥ２０２００５０１５６７０Ｕ１
【特許文献３】ドイツ実用新案ＤＥ８２３６６８８Ｕ１
【特許文献４】フランス特許出願  Ｎｒ．７８１２０６３
【発明の開示】
【発明が解決しようとする課題】
【００１０】
本発明の課題は、上述の欠点を避けること、及び、手を用いる器具を提供することである。上記手を用いる器具を用いて、身体領域特には女性のバストの皮膚を介しての刺激が行なわれる。本発明の更なる対象は、リスクがなく特定の限度内でバストサイズを大きくする、身体領域特には女性のバストの皮膚を介しての刺激のための方法及び利用である。
【課題を解決するための手段】
【００１１】
上記課題は、手を用いる器具により解決される。その場合、上記器具は柔軟で弾力性のある材料からなりまた上側及び下側から構成され、それらは隙間を形成し当該隙間は少なくとも一方の手を収容するために構成されている。その際、少なくとも一方の手の指のために、少なくとも２つの別々の穴が設けられている。そして、手のひら及び指の範囲には、マッサージ領域が存する範囲が設けられている。
【００１２】
本発明の枠内では、「柔軟で弾力性のある材料」なる語は繊維材料と解される。この場合その様な繊維材料は、例えばコットン、ビスコース、亜麻、ココナツ、サイザル、羊毛、又はそれに類するものの様な天然繊維、並びに、多種多様な化学繊維でありうる。変性化学繊維は、例えばアセテート類のような変性天然高分子から構成されてもよく、ここで繊維は、７４〜９２％の間でアセチルグループの割り当てを有する酢酸セルロースからなると理解される。更にそれらは、ビスコース法により製造される再生セルロースからなるアルギン酸繊維材料を含む。
【００１３】
弾力性のある繊維としては通常、天然又は合成ポリイソプロピレン製の繊維が理解される。上記繊維は場合によっては共重合からも構成される。
【００１４】
これに加えて、一般に繊維用の再生セルロースから構成されるレーヨンも含まれる。ここではセルロースエーテル類からなるものを用いてもよい。同様に、再生された植物性又は動物性プロテインからなる卵白繊維を使用してもよい。ここでは例示的に、コーン、ピーナツ由来のアーダイン（ピーナツプロテイン）、又は牛乳由来のカゼイン、を列挙する。合成繊維はポリマーから紡がれる。重合繊維はとりわけ、レアビル（Leavil）、モビル（Movil）、サラン（saran）の様なクロロファイバー（clorofiber）を含む。
【００１５】
本発明の１つの実施形態では、刺激ゾーンは織物材料であり、特にはテリー織からなる。この場合、心地よい体感が得られるにもかかわらず刺激効果は保証される。同様に、リンネル、サイザル繊維、ココナツ繊維、又は亜麻をマッサージ領域に用いることも可能である。
【００１６】
本発明に従う器具は、他の実施形態では、特には対称性を持った突起部を刺激ゾーンに有しており、それらは交互に、より柔軟な部分及びより僅かに柔軟な部分を有する。本発明に従う突起部は薄片から構成されており、上記薄片は互いに交差して、又は、互いに交差せずに、配されている。そして、それらは一方では高められた曲げ抵抗を有し、それにより突起部薄片が縦方向に作用される場合には「ハードな」接触を引起す。それらはもう一方ではより僅かな曲げ抵抗を有し、突起部薄片が横方向に作用される場合には「ソフトな」接触を実現する。突起部は全て同一形状を有する。しかし該突起部は、少なくとも２つの角度方向に従い、以下のように配されている、つまり、本発明に従う器具が動かされる皮膚上で、皮膚がより柔軟な突起部の作用、及び、より僅かに柔軟な突起部の作用、を交互に受るように配されている。
【００１７】
柔軟で弾力性があり変形可能な材料からなる複数の隆起した突起部と共に設けられる少なくとも１つの作用側を有する皮膚表面用の手を用いる器具の、本発明に従う他の実施例ではそれは、突起部が交差して又は交差せずに配されている薄片からなること、及び、その薄片の角度方向に応じて少なくとも２つのグループに分けられていること、を特徴とする。その際、手を用いる器具の作用側の上の１つのグループの薄片は、他のグループの突起部と交互に現れる。
【００１８】
好ましい実施例に従い、突起部は、その柔軟でゴム状の弾性材料からなる基部と一体的に製造されている。突起部を形成する薄片は、基本的にその基部上で直角に配されている。また上記薄片は円弧形状部を有し、それはその弦形状部（矢の弦のような部分）で基部と接続されている。その際、薄片スライスが取り囲む表面は基本的に球状キャップ形状を有する。
【００１９】
第１の実施形態では、突起部は２つの薄片からなる。上記薄片は十字に配されており、上から見るとＸ形状を有している。１つのグループに属する突起部の、交差した薄片の角度方向は、それが突起部の交差する両薄片の交点を通って延びる軸の周りで回転していることにより、他のグループに属する突起部の、交差した薄片の角度方向と異なる。各々の突起部は二つの薄片の交点を通って延びる軸に関して対称な形状を有している。各々の突起部の交差した２つの薄片は、基本的に互いに直角に配されている。一方、１つのグループの突起部は、他のグループの突起部に対して４５°回転されている。突起部の交差した薄片は、有利にはその交点で、その高さの一部にまで切込みを入れられている。
【００２０】
他の実施形態では、突起部は交差した薄片からではなく、基本的に互いに平行な薄片から構成されている。１つのグループの突起部薄片の角度方向は、他のグループの突起部薄片の位置に依存する。その際、突起部は４つのグループに分けられており、そして、１つのグループの突起部の薄片は、他のグループの突起部の薄片に対し、４５°又はその整数倍回転されている。
【００２１】
本発明に従い、突起部を、主として平行に並べて又はサイナス形状（sinus-shaped）に並べて、配置することが出来る。その際、２つの隣り合うサイナス形状の並びは、位相コントラスト状態にあるか、又は、同心円に配置されてもよい。
【００２２】
本発明に従う手を用いる器具を刺激ゾーンから構成することができ、上記刺激ゾーンには突起部の柔軟な基部が堅い基部へはめ込まれている。上記器具は、手袋つまり柔軟なポケットから構成されてもよい。その際、少なくとも１つの側で突起部が突出している。更に、１つの実施形態では、本発明に従う手を用いる器具は、突起部の柔軟な基部の範囲に穴をあけられてもよい、また貯蔵系と共に与えられていてもよい。上記貯蔵系は例えばクリーム、ローション、オイル、又は薬学的に活性な混合物を含む。それらは、皮膚表面を刺激する間、精確に調量されて与えられる。
【００２３】
本発明の他の実施形態では、手を用いる器具は、身体の反対を向く側で、ディスペンサータンクと共に構成されており、該ディスペンサータンクはチューブ系を介してマッサージ領域と接続されている。上記チューブ系を介して、粘性媒体及び／または流動媒体が、マッサージ領域へ供給される。流動媒体は、皮膚の刺激を保証する上述の調合を含んでいる。この際、１つの実施形態では、ディスペンサータンクを手の甲の部分にのみ配設してもよい。粘性媒体及び／または僅かに流動性のある媒体を注入するための注入開口部は、逆止弁によって、例えばチェックバルブ又はそれに類するものによって、開放可能な方法で閉栓される。片手又は両手を握ることで、圧を介して、粘性媒体及び／または僅かに流動性のある媒体は、ディスペンサータンクから様々な大きさの放出開口部へと運ばれる。大きな放出開口部から媒体が広範囲に広げられる間、小さい開口部を介して、刺激の間のマイクロ調量（micro-dosing）が皮膚と接触することで初めて行なわれる。使用に応じて、本発明に従う器具は、大きな放出開口部のみ、又はマイクロ放出開口部のみ、又は両方の放出開口部を有して与えられる。放出開口部は、マイクロ調量用には１ｍｍまでの直径を有し、また、広域的な調量の場合には４ｍｍまでの直径を有する。より粘性のある流体が使用される実施形態では、本発明に従う器具は２．５ｍｍから６ｍｍの直径を有する放出開口部と共に形成される。
【００２４】
他の実施例では、ディスペンサータンクからのチューブは指の間を延びる。指を閉じることによって、流動媒体を放出開口部へ運ぶ圧が発生される。柔軟で弾性のある材料又は織物材料を用いる場合、調量は、少数の放出開口部により広域で、又は、マイクロ調量の形でより多くの放出開口部を介して、行なうことが出来る。小さな放出開口部に対する大きな放出開口部の比は、１対１０から２対８の値を取りうる。
【００２５】
本発明に従う手を用いる器具が、指の第１関節の範囲に、薄片、突起部又はそれに類するものを有する刺激ゾーンを含む場合、この刺激ゾーン内に放出開口部を配してもよい。加えて、より大きな放出開口部を手のひら及び指の第２及び／または第３関節に配してもよい。
【００２６】
例えば、レジノイド類、樹脂類、濃縮物類、及び、合成香料成分類によって、皮膚の刺激を行なうことが出来る、その際それらは、飽和化合物及び不飽和化合物、脂肪族化合物、炭素環式化合物、複素環式化合物を含んだ、炭水化物類、アルコール類、アルデヒド類、ケトン類、エーテル類、酸類、エステル類、アセクタル類、ケタイン類、ニトリル類等である。この場合、好ましくは以下の化合物が挙げられる、つまり、ヨーロッパモミオイル（シルバーファーオイル）、トウヒオイル（トウヒの針葉のオイル）、マウンテンパインオイル（松の精油）、パインニードルオイル（松葉油）、ジュニパーベリーオイル、ラベンダーオイル、ローズマリーオイル、タイムオイル、ヒマラヤスギオイル（シーダーウッドオイル）、レモンオイル、マンダリンオイル、橙皮油（ビターオレンジオイル）、パルマローザオイル、ゼラニウムオイル、プチグレインオイル（プチグレーンオイル）、グアヤックウッドオイル（リグナムバイタオイル、ユソウボクオイル）、酢酸ボルニル、ボルニルバレリアネート（bornyl valerianate）、酢酸ベンジル、ベンジルアルコール、ゲラニオール、ヘリオトロピン、リナボール（linabol）、フェニルエチルアルコール（フェネチルアルコール）、テルピネオール、合成シベット（合成霊猫香、cibet artificial）、酢酸ゲラニオール、リナロール（linalool）、酢酸リナリル（リナリルアセテート）、テトラヒドロリナロール、レモンオイルアセテート（lemon oil acetate）、ジヒドロミルセノール、酢酸ジヒドロミルセニル（ジヒドロミルセニルアセテート）、テトラヒドロミセノール、酢酸テルピネオール（テルピネオールアセテート）、ノポール（nopol）、酢酸ノピル（ノピルアセテート）、２−フェニルエタノール、酢酸２−フェニルエチル（２−フェニルエチルアセテート）、ベンジルアルコール、酢酸ベンジル（ベンジルアセテート）、サリチル酸ベンジル（ベンジルサリチレート）、安息香酸ベンジル、酢酸スチラリル（スチラリルアセテート）、サリチル酸アミル（アミルサリチレート）、ジメチルベンジルカルビノール、トリクロロメチルフェニルカルビニルアセテート（trichloromethylphenycarbinyl acetate）、ｐ−ｔｅｒｔ−ブチルシクロヘキシルアセテート（酢酸ブチルシクロヘキシル、p-tert-Butylcyclohexyl acetate)、酢酸イソノニル（イソノニルアセテート、isononyl acetate）、ベチベリルアセテート（vetiveryl acetate）、ベチベロール（vetiverol）、α‐ｎ‐アミルシンナミックアルデヒド（α-n-amyl cinammic aldehyde)、α−ヘキシルシンナミックアルデヒド（α-hexyl cinammic aldehyde）、２‐メチル‐３‐（ｐ‐ｔｅｒｔ‐ブチルフェニル）プロパナール（2-methyl-3-(p-tert-butylphenyl) propanal）、２‐メチル‐３‐（ｐ‐イソプロピルフェニル）プロパナール（2-methyl-3-(p-isopropylphenyl) propanal）、３‐（ｐ‐ｔｅｒｔ‐ブチルフェニル）プロパナール（3-(p-tert-butylphenyl) propanal）、酢酸トリシクロデセニル（tricyclodecenyl acetate）、トリシクロデセニルプロピオネート（tricyclodecenyl propionate）、４（４‐ヒドロキシ‐４‐メチルペンチル）‐３‐シクロヘキセンカルバルデヒド（4(4-hydroxy-4-methyl pentyl)-3-cyclohexenecarbaldehyde）、４‐（４‐メチル‐３‐ペンタニル）‐３‐シクロヘキセンカルバルデヒド（4-(4-methyl-3-pentanyl)-3-cyclohexenecarbaldehyde）、４���アセトキシ‐３‐ペンチルテトラヒドロピラン（4-acetoxy-3-pentyltetrahydropyran）、メチルジヒドロジャスモネート（methyl dihydrojasmonate）、２‐ｎ‐ヘプチルシクロペンタノン（2-n-heptylcyclopentanon）、３‐メチル‐２‐ペンチルシクロメンタノン（3-methyl-2-pentylcyclopentanon）、ｎ‐デカナール（n-decanal）、ｎ‐ドデカナール（n-dodecanal）、９‐デカノール‐１（9-decanol-1）、フェノールエチルイソブチレート（phenol ethyl isobutyrate）、フェニルアセトアルデヒドジメチルアセテート（phenylacetaldehyde dimethyl acetate）、フェニルアセトアルデヒド（phenylacetaldehyde）、ジエチルアセタール（diethyl acetal）、ゲラノニトリル（geranonitril）、シトロネロニトリル（citronellonitril）、セドリルアセテート（cedryl acetate）、３‐イソカンフィルシクロヘキサノール（3-isocamphylcyclohexanol）、セドリルメチルエーテル（cedryl methyl ether）、イソロンギフォラノン（isolongifolanon）、オーベピンニトリル（aubepinenitril）、オーベピン（aubepin）、ヘリオトロピン（heliotropin）、クマリン（coumarin）、オイゲノール（eugenol）、バニリン（vanillin）、ジフェニルオキシド（diphenyl oxide）、ヒドロキシシトロネラール（hydroxycitronellal）、イオノン（ionon）、メチルイオノン（methyl ionon）、イソメチルイオノン（isomethyl ionon）、シス‐３‐ヘキセノール及びそのエステル（cis-3-hexenol and esters thereof）、インダン（indane）、ムスク、テトラリンムスク（tetralin musk）、イソクロマンムスク（isochroman musk）、大環状ケトン類（macrocyclic ketones）、ムスクアクロラクトン（musk acrolactone）が挙げられている。
【００２７】
その他の刺激のための活性薬剤として、例示的に再潤滑剤（relubricating agents）、抗菌性活性薬剤、角質溶解的及び角膜形成的に作用する物質、消炎薬、調合薬的活性薬剤、及び、それらに類するものに言及する。
【００２８】
本発明の枠内の再潤滑剤は、新油性の（脂質のような）物質を含み、上記物質は、洗浄／クリーニングプロセスの間に皮膚により吸収され、それによって皮膚脱脂の間に反対に作用する。上記皮膚脱脂は対応する美容物質の界面活性成分により引起される。水溶性に調整されたトリグリセリド類、（エトキシル化された）部分グリセリド類（partial glycerides）、脂肪酸アルカノールアミド類、脂肪酸ポリグリコールエステル類、直鎖脂肪酸類又は分岐脂肪酸類、及び、脂肪アルコール類、並びに、ラノリン誘導体類及びレシチン誘導体類（lanoline and lecithin derivatives）が、再平滑剤又は再グリーシング剤とも呼ばれる再潤滑剤の例である。
【００２９】
微生物を破壊するために或いはその成長を妨げるために、抗菌性活性薬剤が用いられ、それはより長い反応時間では最終的に死滅を導く。抗菌剤は主に保存料（防腐剤）として美容分野で用いられている。脱臭効果のある物質も抗菌的に作用しうる。保存料としてはここで、ｐ‐ヒドロキシ安息香酸エステル（パラベン）、イミダゾリジニル尿素、ホルムアルデヒド、ソルビン酸、ブロノポール、デヒドロ酢酸、安息香酸、サリチル酸、が挙げられる。脱臭効果のある物質は、オレイン酸亜鉛（Zinkriemoleat）、トリドサン（tridossan）、ウンデシレン酸アルキロルアミド（undecylenic acid alkylolamide）、クエン酸トリエチルエステル、クロルヘキシジン、及び、誘導体などである。
【００３０】
充血化作用のある薬剤は、皮膚温度を上昇させて又は皮膚緊張を高めて、皮膚の血流循環を活発にする物質を含んでいる。増加された血流循環促進効果を有する物質は、特に皮膚の血液循環を高めるためのマッサージと結びついて用いられる。加えてそれらは、マウンテンパイン、ラベンダー、ローズマリー、ジュニパーベリー、トチノキエキス、バーチリーフエキス、ヘイフラワーエキス、エチルアセテート、イラクサエキス、ショウノウ、メンソール、ニコチン酸及びそのエステル類、ペパーミントオイル、ローズマリーエキス、ユーカリ類、及び、カラマツテレビン油、の様なエーテル油類を含む。
【００３１】
角質化効果を有する物質は、上皮細胞の角質の形成を促進する物質を含む。
【００３２】
本発明をより理解するため、以下に、図中に示される２つの実施形態が例示的に記載されるが、それに制限されるわけではない。
【発明を実施するための最良の形態】
【００３３】
図１には、手を使う器具１の実施が五指手袋形状で示されている。上記手袋は、手のひら側の全ての指先、及び、手のひらの手首付近に、刺激ゾーン１１を有する。この実施の場合、刺激ゾーンに使用される材料は、例えばコットン、ビスコース、アマ、ココナッツ、サイザル又は羊毛又はそれに類似するものような天然繊維、又は、化学繊維を含むことが出来る。好ましくはタオル地材料である。
【００３４】
図２には、手を使う器具のその他の実施形態が示されている。この場合は、親指は単独でそして他の４本の指はまとめて１つのポケットに配される手袋である。上記手袋の下側（手のひら側）は全て、刺激ゾーンとして形成されている。ここで、図１に従って、又は、図３から８に従う実施と共に、柔軟な繊維材料を使用することが出来る。
【００３５】
図２ａには手を使う器具のその他の実施形態が示されている。この場合それは図２に従う手袋である。刺激ゾーン１１内には放出開口部１３が形成されている。この放出開口部はディスペンサータンクのホース系と接続されている。
【００３６】
図３及び図４には、皮膚表面特には女性の乳房を刺激するための刺激ゾーンを、その全体を符号１１で表した。縁２は全ての適した材料から、例えば弾力性があり柔軟なプラスチック物質から、製造することが出来る。縁の片側には縦長の空洞が存する。その縦断面は基本的に楕円形である。言及された空洞の内側には曲げやすい基部４が配設されている。皮膚表面を刺激するために利用される突起部５ａ、５ｂが、上記基部から突出している。
【００３７】
この例の場合、基部４及び突起部５ａは、ゴム状で柔軟な材料からの成型により、一体的に製造されている。柔軟な基部４は柔らかい楕円形のプレートから構成され、その表面は縁２に存する空洞よりも若干高い位置にある。そのため、柔軟な基部４は、縁２に取付けられた後、外側へ凸の湾曲形状を有する。
【００３８】
突起部５ａの形状は、突起部５ｂの形状と正確に一致し、その角度方向のみがずらされている。上記のように、突起部５ａ、５ｂは十字形状（Ｘ形状）を有し、その際突起部を形成する二つの交差した薄片６は互いに直角な状態にある。突起部５ａ、５ｂは二つの交差した薄片６の交点を通る軸に関して対称なパターンを有する。突起部の二つの交差した薄片６は、柔軟な基部４上に基本的に垂直に配され、その際、それぞれ円弧形状部を有し、それはその弦形状部により柔軟な基部４と接続されている。この例では交差した薄片６の最大高さは２〜１５ｍｍ、その最大長さは２〜２０ｍｍ、及びその最大厚みは１〜３ｍｍである。
【００３９】
突起部５ａ、５ｂは、１〜１１．２ｍｍの側長と共に、正方網目パターンに従って配置されている。突起部５ａの交差した２つの薄片６の、１つの薄片は図３の器具の軸に対し長手方向に平行に配設されている。それに対し、突起部５ｂの二つの交差した薄片は、器具の軸１７に対し４５°の角度を形成する。突起部５ａの交差する薄片は、突起部５ｂの交差する薄片に対して４５°の角度のずれを有する。
【００４０】
記載された手を用いるマッサージ器具が、皮膚表面上でその長手軸１７に対して平行に動かされる場合、突起部５ｂの負荷が２つの交差した薄片の間でＶ字に閉じた角の中で行なわれる間、突起部５ａの負荷はその２つの交差した薄片の１つの長手方向で発生する。また、突起部５ｂの２つの交差した薄片は、横側で負荷を受ける、そしてその結果、長手方向で負荷を受ける突起部５ａの薄片よりも僅かな曲げ抵抗を有する。手を用いるマッサージ器具１がその軸１７に対して平行に動かされる場合、突起部５ａは、その角度配置の結果、突起部５ｂよりも僅かにしか柔軟ではない（突起部５ｂよりも硬い）。それゆえに肌との接触の際、突起部５ａは「より硬い」、また、突起部５ｂは「より柔らかい」、と認識される。
【００４１】
それゆえ、刺激が直線的に動いて行なわれ、手を用いる器具をその軸１７に対して平行又は直角に動かす場合、上記器具が動いている皮膚ゾーンは、複数の整列された突起部５ａ及び５ｂの作用を受ける、その時上記突起部は交互に、より柔軟性があるかまたより僅かにしか柔軟性がない。突起部列による皮膚の摩擦は、皮膚上に、波状又はサイナス形状の圧痕を生じる。上記圧痕は連続的に続く突起部列５ａ、５ｂに起因して変化する。それゆえこの刺激は非常に効果的であり、また処置される皮膚ゾーンに適切な充血を引起す。上記充血は、用いられる様々なクリーム、ローション、オイル又は調合薬剤が浸透する（入り込む）ことを促進する。
【００４２】
図３ａでは、基部４により大きな放出開口部１３が示されている。突起部５ａ、５ｂの周囲の直ぐ近くに、より小さい放出開口部１２が認識出来る。これらは、薄片が皮膚と接触する際の、マイクロ調量に利用される。
【００４３】
図４ａでは、基部４上の二つの交差した薄片６が示されている。突起部５ａの形状は突起部５ｂの形状と正確に一致し、その角度方向のみがずらされている。上から見ると、突起部５ａ、５ｂは十字形状（Ｘ形状）を有しており、その際突起部を形成する二つの交差した薄片６は互いに直角な状態にある。突起部５ａ、５ｂは二つの交差した薄片６の交点を通る軸に関して対称なパターンを有する。突起部の二つの交差した薄片６は、基本的に柔軟な基部４上で垂直に配されている。交点の範囲内にはマイクロ調量用の放出開口部１３が存する。
【００４４】
図５及び図６には、交差した薄片からなる図３及び図４の突起部の実施形態が示されている。図５及び図６の二つの交差した薄片７も、図３及び図４の交差した薄片６と同様に、互いに直交した状態にある。それらは基本的にそれぞれ円弧形状を有し、その弦形状部によって柔軟な基部４と接続されている。二つの交差した薄片７の縁９を取り囲む面は、基本的に半球形状を有する。上から見ると、二つの交差した薄片７の下端部は拡がっている。同様に二つの交差した薄片７の中央部分もまた、柔軟な基部８と接続されているゾーンの方向（図６）で、拡がっている。薄片はその交点でその高さの２／３にまで切込みを入れられ、その際２つのスリット１０は、図６から認識できるように、十字形状を有し、又、それは２つの交差した薄片７に対し４５°ずらされている。
【００４５】
二つの交差した薄片７からなる突起部は、二つのスリット１０が突起部を柔らかくする点で異なっているが、図１及び図２の突起部のように、同等の刺激効果を有する。
【００４６】
図５ａ及び図６ａは、図５及び図６とは異なる、放出開口部１２或いは１３を有する薄片を示している。図５ａにはマイクロ調量用の放出開口部１３のみが形成されている一方で、図６ａにはマイクロ調量用の放出開口部１３に加えて、広域調量用の放出開口部１２も示されている。
【００４７】
図７及び図８は本発明に従うマッサージ面の他の実施形態を示す。縁２０には基本的に周りを回る楕円状の空洞が存する。上記空洞には柔軟な基部２１がその外周にはめ込まれている。柔軟な基部２１上で、突起部２２ａ、２２ｂ、２２ｃ、２２ｄの４グループが、外へ突き出ている。突起部２２ａ、２２ｂ、２２ｃ、２２ｄは、柔軟で弾力性のあるゴム状材料から、柔軟な基部２１と一体的に製造されている。
【００４８】
突起部は柔軟な基部２１の上に正方網目パターンで配設される。突起部２２ａ、２２ｂ、２２ｃ、２２ｄは全て同一の形状を有し、それらは相対的な角度方向によってのみ異なる。突起部２２ａ、２２ｂ、２２ｃ、２２ｄは４つの基本的に平行な薄片２３からなり、上記薄片は柔軟な基部２１の上に垂直に配されている。それぞれの薄片２３は、円弧形状を有し、また、その弓弦形状部で柔軟な基部２１と接続されている。突起部の４つの薄片２３を取り囲む表面は、球状キャップ形状を有する。薄片２３の厚みはその端部に向かい僅かに増す。
【００４９】
図７から認識できるように、突起部２２ａの薄片はブラシ軸２４に対して平行にのびる。同一のグループ２２ａ、２２ｂ、２２ｃ、２２ｄの突起部の薄片２３は、他のグループの突起部の薄片２３に関して、４５°又は４５°の整数倍ずらされて配されている。同一グループの突起部は、柔軟な基部２１ａの上で他のグループの突起部と交互して現れる。
【００５０】
手を用いる器具が皮膚表面の上で器具の軸１７に対して平行に動かされる場合、突起部２２ｃの負荷が薄片２３の面上へ垂直に生じるのに対し、突起部２２ａは薄片２３の長手方向で負荷を与えられる。突起部２２ｂ及び２２ｄは、４５°の角度ではあるが、同様に横方向で負荷を与えられる。従って、横方向で負荷を与えられる突起部２２ｂ、２２ｃ、２２ｄの薄片２３は、長手方向で負荷を与えられる突起部２２ａの薄片よりも、僅かな曲げ抵抗を有する。それゆえ、器具がその軸１７に対して平行に皮膚の表面上を動く場合、突起部２２ａは、突起部２２ｂ、２２ｄよりも硬く、また他方で後者は突起部２２ｃよりも若干硬い。
【００５１】
本発明に従う手を用いる器具の、この実施例により獲得された刺激作用は、図３及び図４の装置により達成される作用に類似する。両実施形態で本発明に従う器具が、強めのマッサージが行なわれる場合でさえも、摩擦による皮膚層の擦過も負傷も導かないことが認識されるだろう。それは突起部５ａ、５ｂ、２２ａ、２２ｂ、２２ｃ、２２ｄが柔軟な材料から製造されており、また、交差した又は交差しない突起部が丸められた形状を有するからである。
【００５２】
図７ａには、刺激ゾーン１１上で、突起部５ａ、５ｂ、２２ａ、２２ｂ、２２ｃ、２２ｄの周辺に液状媒体を広範囲に広げるための放出開口部１２に加えて、マイクロ調量用の放出開口部１３が表されている。
【００５３】
放出開口部１２を有し薄片から構成される単独の系２３のため、刺激ゾーンが、再度詳細に示されている。
【００５４】
本発明の枠内での刺激を目的とする織物としてはとりわけ、織物の表面から上述のように突き出た部位を有する織物が理解される。
【００５５】
ドイツ特許出願公開第２３３８４８６号から、特にはタオル用の布地が公知であり、織布から突き出る、ネップ、ループ、又はちょう結び形状の突起を有する。上記突起は合成物質で覆われている。それにより、これらの突起は皮膚の上でマッサージ効果を発揮する。突起は紐又はストラップを用いて形成され、それらの材料は織物の材料とは異なっており、また、それらは織物に固定されている、特には縫い付けられている。少なくとも１つの織物面に紐又はストラップを取付けることは、製造において容易である。そして、様々な紐又はストラップを、マッサージの目標や使用者の要求に応じて、同一の布地に取付けることが出来る。それにより、必要に応じて様々なマッサージ効果を達成することが出来る。また、タオル上に異なる紐を交替に並存して取り付けることさえ可能である。それにより最適なマッサージ効果が達成される。
【００５６】
紐又はストラップは、天然繊維、特にはサイザル又はヘチマからなる。しかしながら、代わりに又は追加的に、紐は合成物質から構成されてもよい。紐の表面がザラザラしている場合、特に良好なマッサージ効果が達成される。
【００５７】
このように製造される布地は、例えば浴用タオル、手袋、マッサージバスグローブ、マッサージタオルとして用いられてもよいし、その他のマッサージ器具と共同で用いられてもよい。特には特別なフェイシャルマッサージ、ベルト、マッサージカフスのため、又は、例えばバスローブのような浴用衣装を製造するために用いることが出来る。本発明の実施例は以下に詳細に記載される。
【００５８】
タオルの布地の片面又は両面或いは片側又は両側には、規則的な間隔で紐又はストラップが、互いに平行でタオル面の上方へ突き出るように縫い付けられている。しかしながらその代わりに、これらの紐又はストラップが、互いに交差してもよいし、又、相互に異なる間隔であってもよい。紐又はストラップの径は等しいか又は異なっている。更に、紐又はストラップは、マッサージ効果を高めるために、隆起、及び／または、荒さを有してもよい。
【００５９】
ここで非図示の本発明の更なる実施では、手を用いる器具は、柔軟な材料からなり、上側及び下側から構成されており、少なくとも片手を収容するために構成される隙間を形成し、その際手の指用に２つの別々の開口が設けられており、少なくとも手のひら及び指の領域上に刺激領域を形成する領域が構成されており、寸法は個人の身体を覆うため手用の開口部の左右側で柔軟な材料が重なって構成されているように選択されるような器具を含む。
【００６０】
本発明の更なる対象は、女性の少なくとも一方のバストの美容的な変化のための、身体部分の刺激である。その際、特には手を用いる刺激によって、刺激されるバストの成長が、このバストの美容的なサイズ補正のために、目標を定めて促される。これにより、外科的な措置及びそれに基づく不利益なしに、バストサイズの増加を目標を定めて達成することが出来る。
【００６１】
特に、刺激は所望の刺激の成果に応じ、時間的に間隔をとった刺激インターバルで、２週間から１２週間、特には４週間の、全期間に渡って行なわれる。それにより先ず、刺激期間の間に、胸部での引っ張られる感覚が導かれ、それにより、胸部の腺がマッサージにより成長する刺激を与えられるので、胸部が成長を開始する前兆となる。
【００６２】
処理の最初の３週間では、サイズの変化は僅かにのみ確認出来る。しかしながら刺激の４週目からは、サイズは目に見えて増加する。
【００６３】
本発明に従い、刺激は、所望の刺激の成果に応じて、刺激ごとに５分から６０分間、特には１５から３０分間、継続して行なわれうる。１５から２５分のインターバルが特に好まれる。
【００６４】
有利な方法では、マッサージはその都度直線的に胸部外側から胸部中央へと行なわれ、そのようにして、星形状にのびてマッサージされてもよいし、又は、連続して及び／または交互に左から右、上から下、右から左等へマッサージされてもよい。その場合、マッサージは様々な位置で円を描くように異なる方向へ向かって行なわれる。しかしながらまた、時間的又は空間的な分布及び方向に関し、任意の分布パターンも可能である。
【００６５】
一方で、乳首はマッサージの間刺激を省かれる、それは物理的刺激、及び、個人の不快感を避けるためであり、また、乳首は成長し得ないからである。
本発明に従いマッサージが、それぞれの個人の解剖学的前提に応じて、両方のバストのために、それぞれ異なる長さ、及び／または、異なる強さで行なわれるので、達成される成長を厳密に本人の望みに合わせることが出来る。
【００６６】
本発明の更なる対象は、身体領域特には女性のバストを刺激するための手を用いる器具の使用である。
【図面の簡単な説明】
【００６７】
【図１】手を使う器具の実施の図である。
【図２】本発明に従う手を使う器具の他の実施形態の図である。
【図２ａ】流体媒体用の開口部のための三角形構造を有する、本発明に従う手を使う器具の他の実施形態の図である。
【図３】本発明に従う実施形態の本発明に従う刺激部分を上から見た図である。
【図３ａ】本発明に従う実施形態の図３の刺激部分を上から見た図であり、液体媒体又は低粘性媒体のために異なる大きさの開口部を有している。
【図４】２つの交差した薄片の拡大斜視図であり、それは図３の手を用いる器具上に示されるような突起部を形成する。
【図４ａ】２つの交差した薄片の拡大斜視図であり、それは図３ａのように液体媒体又は低粘性媒体のために小さな開口部を有する突起部を形成する。
【図５】図４に類似の図であり、２つの交差する薄片はその交点で特定の深さの切込みを有して設けられている。
【図５ａ】図４に類似の図であり、２つの交差した薄片はその交点において特定の深さの切込みと共に設けられており、また、流体媒体用の追加の開口部を有している。
【図６】図５の２つの交差した薄片を上から見た図である。
【図６ａ】図５ａの流体媒体用の追加の開口部を有する２つの交差した薄片を上から見た図である。
【図７】突起部で平行に配される薄片を有する、第２の実施形態の本発明に従う刺激ゾーンを上から見た図である。
【図７ａ】突起部にて平行に配される薄片及び流体媒体用の追加の開口部を有する、第２の実施形態の本発明に従う刺激ゾーンを上から見た図である。
【図８】図７に従う突起部の拡大斜視図である。
【図８ａ】図７ａに従う調量開口部を有する突起部の拡大斜視図である。
【符号の説明】
【００６８】
４  基部
５ａ  突起部
５ｂ  突起部
６  薄片
７  薄片
８  基部
２１  基部
２２ａ  突起部
２２ｂ  突起部
２２ｃ  突起部
２２ｄ  突起部
２３  薄片
【図１】
2009515613.tif 000003
【図２】
2009515613.tif 000004
【図２ａ】
2009515613.tif 000005
【図３】
2009515613.tif 000006
【図３ａ】
2009515613.tif 000007
【図４】
2009515613.tif 000008
【図４ａ】
2009515613.tif 000009
【図５】
2009515613.tif 000010
【図５ａ】
2009515613.tif 000011
【図６】
2009515613.tif 000012
【図６ａ】
2009515613.tif 000013
【図７】
2009515613.tif 000014
【図７ａ】
2009515613.tif 000015
【図８】
2009515613.tif 000016
【図８ａ】
2009515613.tif 000017
【国際調査報告】
2009515613.tif 000018
2009515613.tif 000019
2009515613.tif 000020
2009515613.tif 000021
2009515613.tif 000022
2009515613.tif 000023
2009515613.tif 000024
2009515613.tif 000025